(57)【要約】【課題】組み立て精度が向上したレンズ鏡筒及び光学機器を提供する。【解決手段】レンズ鏡筒２を、第１の筐体部４０Ｕ及び前記第１の筐体部に対し撮影光学系に含まれる光軸Ａ２の方向に沿って直接接続された第２の筐体部４０Ｌを含み、前記撮影光学系の構成要素を保持する筐体部４０と、ブレ補正光学系Ｌ３を有しブレ補正時に前記筐体部４０に対して移動可能に設けられたブレ補正可動部８１、及び、開位置と閉位置との間の移動によって光を通過させ又は遮断するシャッタ部７０の少なくとも一方を支持するとともに、前記第１の筐体部４０Ｕ及び前記第２の筐体部４０Ｌの少なくとも一方に設けられた支持部４４、４８とを備える構成とした。【選択図】図２
2008070483.tif 000002
【特許請求の範囲】
【請求項１】
第１の筐体部及び前記第１の筐体部に対し撮影光学系に含まれる光軸の方向に沿って直接接続された第２の筐体部を含み、前記撮影光学系の構成要素を保持する筐体部と、
ブレ補正光学系を有しブレ補正時に前記筐体部に対して移動可能に設けられたブレ補正可動部、及び、開位置と閉位置との間の移動によって光を通過させ又は遮断するシャッタ部の少なくとも一方を支持するとともに、前記第１の筐体部及び前記第２の筐体部の少なくとも一方に設けられた支持部と
を備えるレンズ鏡筒。
【請求項２】
請求項１に記載のレンズ鏡筒において、
前記支持部は、前記第１の筐体部と前記第２の筐体部との接続部の近傍に設けられること
を特徴とするレンズ鏡筒。
【請求項３】
請求項１又は請求項２に記載のレンズ鏡筒において、
前記ブレ補正可動部を前記筐体部に対して駆動する駆動部と、
前記ブレ補正可動部の前記筐体部に対する位置を検出する位置検出部とを備え、
前記駆動部及び前記位置検出部を構成する要素の少なくとも一部が前記支持部に設けられること
を特徴とするレンズ鏡筒。
【請求項４】
請求項１から請求項３までのいずれか１項に記載のレンズ鏡筒において、
前記筐体部に設けられ、前記ブレ補正可動部の移動方向に開口した開口部と、
前記開口部を塞ぐ蓋部と、
前記蓋部に設けられ、前記ブレ補正可動部の前記光軸方向の移動を制限する制限部とを備えること
を特徴とするレンズ鏡筒。
【請求項５】
請求項１から請求項４までのいずれか１項に記載のレンズ鏡筒において、
前記筐体部は、その構成部材の表面を凹ませて形成され又は前記構成部材を貫通して形成され、電子部品を収容する収容部を備えたこと
を特徴とするレンズ鏡筒。
【請求項６】
請求項１から請求項５までのいずれか１項に記載のレンズ鏡筒を備えること
を特徴とする光学機器。
【発明の詳細な説明】
【技術分野】
【０００１】
本発明は、レンズ鏡筒及び光学機器に関するものである。
【背景技術】
【０００２】
カメラ等の光学機器に備えられかつブレ補正機構を備えるレンズ鏡筒は、プリズム等を支持する上部鏡筒と撮像素子等を支持する下部鏡筒との間にブレ補正ユニットを挟んで組み立てたものが知られている（例えば、特許文献１参照）。
【特許文献１】特開２００６−９１３４４号公報
【発明の開示】
【発明が解決しようとする課題】
【０００３】
この種のレンズ鏡筒は、上部鏡筒に支持された光学系の光軸と、下部鏡筒に支持された光学系の光軸とを一致させる必要があるため、上部鏡筒と下部鏡筒とを精度よく組み立てることのできるものが望まれていた。
本発明の課題は、組み立て精度が向上したレンズ鏡筒及び光学機器を提供することである。
【課題を解決するための手段】
【０００４】
本発明は、以下のような解決手段により、前記課題を解決する。なお、理解を容易にするために、本発明の実施例に対応する符号を付して説明するが、これに限定されるものではない。
請求項１の発明は、第１の筐体部（４０Ｕ）及び前記第１の筐体部に対し撮影光学系に含まれる光軸（Ａ２）の方向に沿って直接接続された第２の筐体部（４０Ｌ）を含み、前記撮影光学系の構成要素を保持する筐体部（４０）と、
ブレ補正光学系（Ｌ３）を有しブレ補正時に前記筐体部に対して移動可能に設けられたブレ補正可動部（８１）、及び、開位置と閉位置との間の移動によって光を通過させ又は遮断するシャッタ部（７０）の少なくとも一方を支持するとともに、前記第１の筐体部及び前記第２の筐体部の少なくとも一方に設けられた支持部（４４、４８）とを備えるレンズ鏡筒（２）である。
【０００５】
請求項２の発明は、請求項１に記載のレンズ鏡筒において、前記支持部（４４、４８）は、前記第１の筐体部（４０Ｕ）と前記第２の筐体部（４０Ｌ）との接続部の近傍に設けられることを特徴とするレンズ鏡筒（２）である。
請求項３の発明は、請求項１又は請求項２に記載のレンズ鏡筒において、前記ブレ補正可動部（８１）を前記筐体部（４０）に対して駆動する駆動部（８２）と、前記ブレ補正可動部の前記筐体部に対する位置を検出する位置検出部（８３）とを備え、前記駆動部及び前記位置検出部を構成する要素の少なくとも一部が前記支持部（４８）に設けられることを特徴とするレンズ鏡筒（２）である。
【０００６】
請求項４の発明は、請求項１から請求項３までのいずれか１項に記載のレンズ鏡筒において、前記筐体部（４０）に設けられ、前記ブレ補正可動部（８１）の移動方向に開口した開口部（４５ａ）と、前記開口部を塞ぐ蓋部（４６）と、前記蓋部に設けられ、前記ブレ補正可動部の前記光軸（Ａ２）方向の移動を制限する制限部（４６ａ）とを備えることを特徴とするレンズ鏡筒（２）である。
請求項５の発明は、請求項１から請求項４までのいずれか１項に記載のレンズ鏡筒において、前記筐体部（４０）は、その構成部材の表面を凹ませて形成され又は前記構成部材を貫通して形成され、電子部品（８４）を収容する収容部（４９）を備えたことを特徴とするレンズ鏡筒（２）である。
【０００７】
請求項６の発明は、請求項１から請求項５までのいずれか１項に記載のレンズ鏡筒（２）を備えることを特徴とする光学機器（Ｃ）である。
なお、符号を付して説明した構成は、適宜改良してもよく、また、少なくとも一部を他の構成物に代替してもよい。
【発明の効果】
【０００８】
以上説明したように、本発明のレンズ鏡筒等は、第１の筐体部と第２の筐体部とが直接接続されるから、組み立て精度が向上する。
【発明を実施するための最良の形態】
【０００９】
［実施形態］
以下、図面を参照して、本発明の実施形態をあげて、さらに詳しく説明する。なお、以下の実施形態は、レンズ鏡筒を備えた光学機器としてデジタルカメラＣを例にとって説明する。
図１は、実施形態のデジタルカメラを示す斜視図である。
図２は、図１に示すデジタルカメラに備えられたレンズ鏡筒を示す正面図である。なお、この図２は、レンズ鏡筒の内部構造の理解を容易にするため、構成要素の一部を光軸Ａ２を含む断面図によって示している。
図３は、図２に示すレンズ鏡筒の断面図であり、（ｂ）は、図２のａ−ａ矢視部断面図を、（ｂ）は、ｂ−ｂ矢視部断面図をそれぞれ示している。
【００１０】
デジタルカメラＣ（以下、カメラＣという）は、レンズ非交換式のカメラであり、ボディ１及びレンズ鏡筒２を備えている。
ボディ１は、例えば、合成樹脂材料又はステンレス鋼等の金属材料によって、厚さ方向寸法が高さ方向寸法及び幅方向寸法よりも小さい略直方体状に形成され、その内部に空間を備えた箱型の容器である。
【００１１】
以下、このカメラＣにおいて、厚さ方向に直交する２つの面部をそれぞれ正面部及び背面部と称して説明する。このカメラＣは、例えば、ボディ１の背面部に図示しない液晶表示装置を備え、通常撮影位置において背面部が撮影者に対向し、正面部が被写体に対向する。
ここで、本明細書において、カメラＣの通常撮影位置とは、カメラＣの正面部及び背面部を鉛直面に対して略平行にして横長の画像を撮影するときのカメラＣの姿勢を指すものとする。以下、カメラＣを構成する各要素の配置は、この通常撮影位置を基準に説明する。
【００１２】
レンズ鏡筒２は、ボディ１の内部に設けられた空間に収容され、図２に示すように、第１レンズ群Ｌ１、第２レンズ群Ｌ２、第３レンズ群Ｌ３、第４レンズ群Ｌ４、プリズムＰ、第２群保持枠１０、第４群保持枠２０、ＣＣＤ３０、筐体部４０、第２群駆動部５０、第４群駆動部６０、シャッタユニット７０、ブレ補正部８０を備えている。
【００１３】
第１レンズ群Ｌ１、第２レンズ群Ｌ２、第３レンズ群Ｌ３、及び、第４レンズ群Ｌ４は、協働して４群構成のズームレンズを形成するカメラＣの撮像光学系の一部である。各レンズ群の機能等については、後に説明する。
プリズムＰは、第１レンズ群Ｌ１と第２レンズ群Ｌ２との間に配置され、第１レンズ群Ｌ１から出射した光を全反射させてその進行方向を、例えば、９０°屈曲させる直角プリズムである。このプリズムＰは、上記ズームレンズと協働してカメラＣの撮像光学系を形成している。このように、このレンズ鏡筒２に備えられた撮影光学系は、いわゆる、屈曲光学系になっている。
【００１４】
以下、レンズ鏡筒２に収容された撮像光学系において、プリズムＰの入射側の光軸、出射側の光軸にそれぞれ符号Ａ１、Ａ２を付して説明する。光軸Ａ１及び光軸Ａ２は、カメラＣを通常撮影位置とした状態において、それぞれ略水平方向、略鉛直方向に延在している。
第１レンズ群Ｌ１は、ズームレンズの最も入射側に配置された光学素子であり、撮影時にその入射面がボディ１の表面に露出するようになっている（図１参照）。
第２レンズ群Ｌ２は、プリズムＰの出射側に設けられ、後述する第２群駆動アクチュエータ５２によって光軸Ａ２方向に駆動されるようになっている。
【００１５】
第３レンズ群Ｌ３は、第２レンズ群Ｌ２の出射側に設けられている。この第３レンズ群Ｌ３は、後述するブレ補正部８０の一部である可動枠８１に固定され、像ブレ補正時にブレ補正レンズとして機能するものである。ブレ補正部８０の構成については、後に説明する。
第４レンズ群Ｌ４は、第３レンズ群Ｌ３の出射側に設けられ、後述する第４群駆動アクチュエータ６２によって光軸Ａ２方向に駆動されるようになっている。
第２群保持枠１０は、第２レンズ群Ｌ２を保持する枠体であり、後述する上部筐体４０Ｕに収容されている。
第４群保持枠２０は、第４レンズ群Ｌ４を保持する枠体であり、後述する下部筐体４０Ｌに収容されている。
【００１６】
ＣＣＤ３０は、レンズ鏡筒２に備えられた撮影光学系により結像された被写体像光を電気信号に変換する光−電気変換素子である。ＣＣＤ３０は、第４レンズ群Ｌ４の出射側に配置され、その撮像面が略水平とされた状態で後述する下部筐体４０Ｌの下端部に固定されている。なお、カメラＣは、撮像素子としてＣＣＤ３０の代わりにＣＭＯＳ等を使用することができる。
また、ＣＣＤ３０は、その撮像面にローパスフィルタ３１を備えている。このローパスフィルタ３１は、ＣＣＤ３０に結像される被写体像に発生するモアレを低減するものである。
【００１７】
筐体部４０は、カメラＣの撮影光学系を収容する容器であり、上部筐体４０Ｕと下部筐体４０Ｌとを備えている。
上部筐体４０Ｕ及び下部筐体４０Ｌは、それぞれ光軸Ａ２に直交する断面の形状が略長方形とされた角筒状の部材であり、それぞれカメラＣを通常撮影位置としたときに鉛直方向に延在して設けられている。
レンズ鏡筒２は、図２に示すように上部筐体４０Ｕの鉛直方向（光軸Ａ２に平行な方向）下端部と、下部筐体４０Ｌの鉛直方向上端部とが接続されており、全体的に鉛直方向に延在する角筒状に形成されている。
【００１８】
上部筐体４０Ｕは、図２及び図３に示すように、本体部４１、蓋部４２、フランジ部４３、シャッタ支持部４４を備えた第１の筐体部である。
本体部４１は、光軸Ａ２に直交する断面の形状が略コの字状（Ｕ字状）とされ、ボディ１の背面部に対向する部分に背面開口部４１ａを備えている（図３参照）。前述の第２群保持枠１０は、この背面開口部４１ａから本体部４１の内部に挿入されるようになっている。本体部４１の上端部には、上述の第１レンズ群Ｌ１及びプリズムＰが固定されている。
蓋部４２は、上述した本体部４１の背面開口部４１ａを閉塞する板状の部材であり、本体部４１の内部への光の入射を防止するようになっている。蓋部４２は、本体部４１に対して、例えば、図示しないネジ等によって固定されている。
【００１９】
フランジ部４３は、本体部４１の下端部に本体部４１と一体に形成され、カメラＣを正面（光軸Ａ１方向被写体側）から見た場合に本体部４１の左右の面部からつば状に突き出して設けられている。
本体部４１の内部に設けられた空間部は、このフランジ部４３が形成された部分において、左右方向の寸法が大きくなっている。この本体部４１の下端部に形成された空間部には、後述するシャッタユニット７０が収容されている。
シャッタ支持部４４は、本体部４１の下端部近傍であって、下端面（下部筐体４０Ｌとの当接面）より光軸Ａ２方向の上方に設けられている。このシャッタ支持部４４は、本体部４１の内部に設けられた空間部に突き出して形成された部分である。
【００２０】
下部筐体４０Ｌは、図２及び図３に示すように本体部４５、蓋部４６、フランジ部４７、ブレ補正支持部４８、収容部４９を備えた第２の筐体部である。
本体部４５は、上部筐体４０Ｕの本体部４１と同様に光軸Ａ２に直交する断面の形状が略コの字状（Ｕ字状）とされ、ボディ１の背面部に対向する部分に背面開口部４５ａを備えている。第４群保持枠２０は、この背面開口部４５ａから本体部４５の内部に挿入されるようになっている。また、ＣＣＤ３０及びＣＣＤ３０の入射面に設けられたローパスフィルタ３１が本体部４５の下端部にボルトによって固定されている。
蓋部４６は、本体部４５の背面開口部４５ａを閉塞する板状の部材であり、本体部４５に対して、例えば、図示しないネジ等によって固定されている。
【００２１】
蓋部４６は、図３に示すように制限部４６ａを備えている。
制限部４６ａは、蓋部４６の上端部が本体部４５の内側に向けて略直角に折り曲げられた部分であり、蓋部４６が本体部４５に装着された状態において、本体部４５の内部に突き出して設けられている。
この制限部４６ａの機能については、後に詳しく説明する。
【００２２】
フランジ部４７は、本体部４５の上端部に本体部４５と一体に形成され、上部筐体４０Ｕのフランジ部４３と同様に、本体部４５の左右の面部からつば状に突き出して設けられている。また、本体部４５の内部に設けられた空間部は、このフランジ部４７が形成された部分において、左右方向の寸法が大きくなっており、この本体部４５の上端部に形成された空間部には、後述するブレ補正部８０が収容されている。
【００２３】
ブレ補正支持部４８は、下部筐体４０Ｌの上端部近傍であって、上端面（上部筐体４０Ｕとの当接面）より光軸Ａ２方向下方に設けられている。このブレ補正支持部４８は、下部筐体４０Ｌの内面から下部筐体４０Ｌの内部に設けられた空間部に突き出して形成された部分である。
このように、ブレ補正支持部４８、及び、前述のシャッタ支持部４４は、それぞれ上部筐体４０Ｕと下部筐体４０Ｌとの接続部の近傍に設けられている。なお、本明細書において、上部筐体４０Ｕと下部筐体４０Ｌとの接続部の近傍とは、上部筐体４０Ｕ及び下部筐体４０Ｌの全体長を考慮して常識的に上部筐体４０Ｕと下部筐体４０Ｌとの接続部に隣接していると認められる領域をさすものとする。
収容部４９は、下部筐体４０Ｌの本体部４５の下端部近傍を貫通して形成されている。この収容部４９は、後述する角速度センサ８４を収容する部分である。
【００２４】
ここで、上部筐体４０Ｕと下部筐体４０Ｌとは、互いのフランジ部４３、４７が対向した状態で光軸Ａ２に沿って配列されており、上部筐体４０Ｕのフランジ部４３の下面、及び、下部筐体４０Ｌのフランジ部４７の上面がそれぞれ上部筐体４０Ｕと下部筐体４０Ｌとの接続面となっている。
下部筐体４０Ｌのフランジ部４７は、光軸Ａ２方向に貫通した孔部４７ａを備えている。また、上部筐体４０Ｕのフランジ部４３は、上部筐体４０Ｕと下部筐体４０Ｌとが接続された状態で孔部４７ａに重なる位置にネジ孔４３ａが形成されている。
上部筐体４０Ｕは、下部筐体４０Ｌの孔部４７ａを貫通してネジ孔４３ａにネジ結合するネジＳによって固定されている。すなわち、筐体部４０は、上部筐体４０Ｕと下部筐体４０Ｌとが、これらの間に他の構造部材を介さずに直接接続される構造になっている。
【００２５】
第２群駆動部５０は、第２レンズ群Ｌ２を光軸Ａ２方向に駆動する部分であり、送りネジ部５１、第２群駆動アクチュエータ５２、位置検出センサ５３を備えている。
送りネジ部５１は、上部筐体４０Ｕに収容され、回転軸線方向が光軸Ａ２に略平行な方向に延在して配置されている。この送りネジ部５１は、第２群保持枠１０に設けられた雌ネジ部１１にネジ結合している。
第２群駆動アクチュエータ５２は、送りネジ部５１をその軸線回りに回転させる、例えば、ステッピングモータ等の電動モータである。第２群駆動アクチュエータ５２は、本体部４１の上面部であって、プリズムＰに隣接して配置されている。
【００２６】
位置検出センサ５３は、例えば、フォトインタラプタ（ＰＩ）等を含む公知の非接触位置センサであり、第２群保持枠１０の光軸Ａ２上の位置を検出するようになっている。位置検出センサ５３は、本体部４１を貫通して形成された孔部に収容されて固定されている。
【００２７】
第４群駆動部６０は、第４レンズ群Ｌ４を駆動する部分であり、送りネジ部６１、第４群駆動アクチュエータ６２、位置検出センサ６３を備えている。
この第４群駆動部６０は、第４群駆動アクチュエータ６２が本体部４５の下端部においてＣＣＤ３０に隣接して配置されている点を除き、第２群駆動部５０と略同じ構成、機能を有している。すなわち、第４群駆動部６０は、第４群駆動アクチュエータ６２が送りネジ部６１を回転させると第４群保持枠２０が光軸Ａ２方向に駆動され、位置検出センサ６３が第４レンズ群Ｌ４の光軸Ａ２上の位置を検出するようになっている。この位置検出センサ６３は、下部筐体４０Ｌの本体部４５を貫通して形成された孔部に収容されて固定されている。
【００２８】
シャッタユニット７０は、シャッタ羽根７１とこのシャッタ羽根を駆動する不図示のシャッタ駆動アクチュエータとを備えている。このシャッタユニット７０は、例えば、レリーズスイッチからの入力に応じてシャッタ羽根７１が開位置と閉位置との間で駆動されることによって、このレンズ鏡筒２の内部における光の通過を、それぞれ許容、制限するシャッタ部である。このシャッタユニット７０は、公知の虹彩絞りを備えた絞り部（図示省略）を併せて備えている。
【００２９】
シャッタユニット７０は、シャッタ駆動アクチュエータ等が固定されたベース部７２を備えており、上述のシャッタ支持部４４に対して、このベース部７２を貫通するネジによって固定されている。
このシャッタユニット７０は、シャッタ支持部４４に固定された状態において、上部筐体４０Ｕの下端面から突出しないようになっている。
【００３０】
ブレ補正部８０は、第３レンズ群Ｌ３を下部筐体４０Ｌ、すなわち、ＣＣＤ３０に対し、撮影者の手ブレ等に起因する被写体像の像ブレを打ち消す方向に移動させる部分であり、ＣＣＤ３０に結像される被写体像は、これによって撮影時の像ブレが補正される。
ブレ補正部８０は、可動枠８１、駆動部８２、位置検出部８３、角速度センサ８４を備えている。
【００３１】
可動枠８１は、その中央部に第３レンズ群Ｌ３を保持する枠体であり、光軸Ａ２方向からみた平面形が略長方形となっている。この可動枠８１は、その下面がブレ補正支持部４８の上面に対向して配置されており、可動枠８１とブレ補正支持部４８との間に配置されたボールＢによって、ブレ補正支持部４８に対して光軸Ａ２に直交する平面内において移動自在に支持されたブレ補正可動部である。なお、ボールＢは、可動枠８１とブレ補正支持部４８との間に少なくとも３個設けられる。
【００３２】
駆動部８２は、可動枠８１を光軸Ａ２にそれぞれ直交する２軸方向（以下、Ｘ軸方向及びＹ軸方向と称する）に駆動するアクチュエータであり、例えば、コイル８２ａとマグネット８２ｂとを含む公知のボイスコイルモータ（ＶＣＭ）を備えている。
駆動部８２は、可動枠８１の駆動方向（Ｘ軸方向及びＹ軸方向）に対応してＸ軸方向駆動用のものとＹ軸方向駆動用のものとが設けられており（一方は図示を省略する）、それぞれコイル８２ａが可動枠８１に、マグネット８２ｂがブレ補正支持部４８に固定されている。コイル８２ａは、マグネット８２ｂに対向する面とは反対側の面部にヨーク８２ｃを備えている。
可動枠８１は、マグネット８２ｂとこのヨーク８２ｃとの間に発生する磁力（引力）によって、ブレ補正支持部４８に押圧される方向に付勢されており、可動枠８１の光軸Ａ２方向へのがたつきが防止されている。
【００３３】
また、位置検出部８３は、ホール素子８３ａとマグネット８３ｂとを備え、駆動部８２と同様にＸ軸方向用及びＹ軸方向用のものが設けられている（一方は図示を省略する）。位置検出部８３は、ホール素子８３ａがブレ補正支持部４８に固定され、マグネット８３ｂが可動枠８１に固定されている。
角速度センサ８４は、下部筐体４０Ｌに設けられた前述の収容部４９に収容された電子部品である。この角速度センサ８４は、例えば、公知のジャイロセンサを含んでおり、Ｘ軸回り及びＹ軸回りの角速度を検出可能となっている。角速度センサ８４は、フレキシブルプリント基板８４ａ（ＦＰＣ８４ａ）にマウントされており、貫通孔である収容部４９は、本体部４５の外面側の開口部がＦＰＣ８４ａによって塞がれている。
【００３４】
以上説明したブレ補正部８０は、例えば、ボディ１に設けられたレリ−ズスイッチが操作されることによって、角速度センサ８４が撮影者の手ブレ等に起因して発生するカメラＣのＸ軸回り及びＹ軸回りの角速度を検出し、不図示の制御部がこの出力に基づいて第３レンズ群Ｌ３の駆動方向及び駆動量を算出して、駆動部８２が制御部の算出結果に応じて第３レンズ群Ｌ３を光軸Ａ２に直交する２方向に駆動するようになっている。
【００３５】
次に、レンズ鏡筒２の組み立て手順について説明する。
レンズ鏡筒２は、まず下部筐体４０Ｌの本体部４５の下端部にＣＣＤ３０が装着されるとともに、第４群保持枠２０が第４群駆動部６０と共に本体部４５に背面開口部４５ａから挿入される。また、下部筐体４０Ｌは、複数のボールＢがブレ補正支持部４８の上面に載せられ、これらのボールＢの上にブレ補正部８０の可動枠８１が載せられる。
この後、本体部４５は、背面開口部４５ａに蓋部４６が装着され、これによって、可動枠８１が背面開口部４５ａから脱落することが防止される。
【００３６】
ここで、蓋部４６には、制限部４６ａが設けられている。前述のように、この制限部４６ａは、蓋部４６の上端部から本体部４５の内側に突き出して形成されており、ブレ補正部８０の可動枠８１は、この制限部４６ａとブレ補正支持部４８とよって挟まれている。これによって、可動枠８１は、仮に下部筐体４０Ｌが上部筐体４０Ｕが装着される前に上下方向が逆さとされても、光軸Ａ２方向の移動が制限され下部筐体４０Ｌからの脱落が防止される。また、可動枠８１は、上部筐体４０Ｕが装着された後において、例えば、カメラＣが通常撮影位置から傾いたとしてもシャッタユニット７０と干渉することが防止される。
【００３７】
レンズ鏡筒２は、下部筐体４０Ｌとは別工程で上部筐体４０Ｕの本体部４１にプリズムＰ及び第１レンズ群Ｌ１が装着されるとともに、第２群保持枠１０が背面開口部４１ａから挿入される。また、上部筐体４０Ｕは、その下端部にシャッタユニット７０が装着される。このシャッタユニット７０は、上部筐体４０Ｕの下端部から突出しないので、例えば、この下端面を当接面にして作業台等の上に上部筐体４０Ｕを載せてもシャッタユニット７０が作業台等に接触することが防止される。
この後、上部筐体４０Ｕと下部筐体４０Ｌとは、互いのフランジ部４３、４７がネジＳによって接続されてレンズ鏡筒２としてユニット化されるとともに、この状態でカメラＣのボディ１に収容される。
【００３８】
以上説明した実施形態のレンズ鏡筒２によれば、以下の効果を得ることができる。
（１）本実施形態のレンズ鏡筒２は、上部筐体４０Ｕと下部筐体４０Ｌとを直接接続して２ピース構成としたから、組み立て時における第２レンズ群の光軸と第４レンズ群Ｌ４の光軸とのずれを低減できる。
これに対し、例えば、上部筐体と下部筐体との間にブレ補正ユニットが挟まれた３ピース構成のレンズ鏡筒は、組み立て時における製造誤差が上部筐体とブレ補正ユニットとの間、及び、ブレ補正ユニットと下部筐体との間の２箇所に発生するので、第２レンズ群及び第４レンズ群の光軸ずれ量が大きくなる可能性がある。
本実施形態のレンズ鏡筒２は、第２レンズ群Ｌ２を保持する上部筐体４０Ｕと第４レンズ群Ｌ４を保持する下部筐体４０Ｌとを直接接続したので、これらのレンズ群をその光軸が光軸Ａ２と実質的に一致した状態に配置することが容易であり、組み立て精度が向上する。
【００３９】
（２）ブレ補正部８０を支持するブレ補正支持部４８、及び、シャッタユニット７０を支持するシャッタ支持部４４を上部筐体４０Ｕと下部筐体４０Ｌとの接続部の近傍に配置したから、シャッタユニット７０及びブレ補正部８０の可動枠８１をレンズ鏡筒２に容易に装着できる。
（３）ブレ補正部８０の一部である、マグネット８２ｂ及びホール素子８３ａを下部筐体部４０Ｌに形成されたブレ補正支持部４８に設けたから、レンズ鏡筒２をコンパクトにすることができる。
（４）下部筐体４０Ｌは、蓋部４６に制限部４６ａを備えているから、可動枠８１の下部筐体４０Ｌからの脱落を防止できる。この制限部４６ａは、蓋部４６に設けられているので、蓋部４６を本体部４５に装着する前であれば、可動枠８１を下部筐体４０Ｌのブレ補正支持部４８に載せる工程の妨げにならない。
（５）下部筐体４０Ｌの本体部４５に収容部４９を設けたから、角速度センサ８４が本体部４５から突出しない。したがって、レンズ鏡筒２をコンパクトにすることができる。
【００４０】
［変形形態］
本発明は、以上説明した実施形態に限定されることなく、種々の変形や変更が可能であって、それらも本発明の技術的範囲内である。
（１）本発明のレンズ鏡筒等の構成は、実施形態に記載したものに限られず適宜変更が可能である。例えば、実施形態のレンズ鏡筒は、上部筐体と下部筐体との接続部の近傍にブレ補正部とシャッタユニットを備えていたが、ブレ補正部のみ、又は、シャッタユニットのみを備えていてもよい。また、レンズ鏡筒を備える光学機器は、実施形態に記載したカメラに限らず、例えば、双眼鏡、望遠鏡、顕微鏡等であってもよい。
（２）実施形態のレンズ鏡筒は、プリズムを備える屈曲光学系を備えていたが、これに限らず、単一の光軸上に複数のレンズ群が配置されたレンズ鏡筒であってもよい。
（３）角速度センサを収容する収容部は、実施形態において下部筐体の下端部近傍に設けられていたが、これに限らず、例えば、上部筐体に設けられていてもよい。また、収容部は、下部筐体の本体部を貫通して形成された孔部であったが、これに限らず、本体部の表面を凹ませて形成した凹部であってよい。
【図面の簡単な説明】
【００４１】
【図１】実施形態のカメラを示す斜視図である。
【図２】図１のカメラに備えられたレンズ鏡筒を示す正面図である。
【図３】図２に示すレンズ鏡筒の断面図である。
【符号の説明】
【００４２】
２  レンズ鏡筒  ：  ４０  筐体部  ：  ４０Ｕ  上部筐体  ：  ４０Ｌ  下部筐体  ：  ４４  シャッタ支持部  ：  ４８  ブレ補正支持部  ：  ７０  シャッタユニット  ：  ８０  ブレ補正部  ：  ８１  可動枠  ：  ８５  角速度センサ  ：  Ｃ  カメラ
【図１】
2008070483.tif 000003
【図２】
2008070483.tif 000004
【図３】
2008070483.tif 000005